(57)【要約】【課題】ディスプレイに表示された被写体や背景を見えにくくすることなく、撮影者が意図した位置に、ＡＦ枠などの表示オブジェクトを、事前に指等で隠れることなく表示することが可能なカメラ等の撮像装置、表示方法を提供する。【解決手段】撮像装置は、レンズユニット２で結像された被写体像を撮像する撮像手段３と、表示手段４を有する。表示手段は、撮像手段より出力された画像を表示し、ユーザの第１の近接状態および第２の近接状態を検知可能である。表示手段は、第１の近接状態の検知に応じて被写体像の表示画像に焦点調節領域を示す第１の表示オブジェクトを表示する。表示手段は、第２の近接状態の検知に応じて被写体像の表示画像に合焦指示領域を示す第２の表示オブジェクトを表示する。【選択図】図１
2014123109.tif 000002
【特許請求の範囲】
【請求項１】
レンズユニットにより結像された被写体像を撮像する撮像手段と、
前記撮像手段より出力された画像を表示可能である表示手段と、
を有する撮像装置であって、
前記表示手段は、
撮影者の第１の近接状態および第２の近接状態を検知可能であり、前記第１の近接状態の検知に応じて被写体像の表示画像に焦点調節領域を示す第１の表示オブジェクトを表示し、前記第２の近接状態の検知に応じて被写体像の表示画像に合焦指示領域を示す第２の表示オブジェクトを表示することを特徴とする撮像装置。
【請求項２】
請求項１に記載の撮像装置において、
前記第２の近接状態は、前記第１の近接状態より前記表示手段に近い近接状態であることを特徴とする撮像装置。
【請求項３】
請求項１に記載の撮像装置において、
前記第２の近接状態は、前記表示手段に接触した接触状態であることを特徴とする撮像装置。
【請求項４】
請求項３に記載の撮像装置において、
前記表示手段は、接触検知した範囲に対応した被写体像の表示画像に前記合焦指示領域を示す第２の表示オブジェクトを表示することを特徴とする撮像装置。
【請求項５】
請求項２に記載の撮像装置において、
前記表示手段は、前記第２の近接状態を検知した範囲に対応した被写体像の表示画像に前記合焦指示領域を示す第２の表示オブジェクトを表示することを特徴とする撮像装置。
【請求項６】
請求項１から５の何れか１項に記載の撮像装置において、
前記表示手段は、前記第１の近接状態を検知した範囲に対応した被写体像の表示画像に前記焦点調節領域を示す第１の表示オブジェクトを表示することを特徴とする撮像装置。
【請求項７】
請求項１から６の何れか１項に記載の撮像装置において、
撮影者が前記表示手段に表示された被写体像に指等を近接又は接触させると、前記表示手段は、撮影者の第１の近接状態および第２の近接状態を検知可能であることを特徴とする撮像装置。
【請求項８】
請求項１から７の何れか１項に記載の撮像装置において、
前記表示手段が表示する焦点調節領域ないし第１の表示オブジェクトは、前記撮像手段の出力画像から得た合焦情報に基づくことを特徴とする撮像装置。
【請求項９】
請求項８に記載の撮像装置において、
前記合焦情報は、前記撮像手段の出力画像から検出された被写体像のコントラスト差もしくは位相差に基づくことを特徴とする撮像装置。
【請求項１０】
請求項１から７の何れか１項に記載の撮像装置において、
前記表示手段が表示する焦点調節領域ないし第１の表示オブジェクトは、前記表示手段に重畳されたセンサの出力が閾値よりも大きくなる領域に基づくことを特徴とする撮像装置。
【請求項１１】
請求項１から１０の何れか１項に記載の撮像装置において、
前記表示手段が表示する焦点調節領域は、焦点調節モードによって異なることを特徴とする撮像装置。
【請求項１２】
請求項１１に記載の撮像装置において、
前記焦点調節モードには、追尾モードと多点モードがあり、前記追尾モードで表示する第１の表示オブジェクトは、前記多点モードで表示する第１の表示オブジェクトよりも数が少ないことを特徴とする撮像装置。
【請求項１３】
請求項１から１２の何れか１項に記載の撮像装置において、
前記第１の表示オブジェクトの表示と前記第２の表示オブジェクトの表示とは、撮影者が識別できるように形状と色の少なくとも一方が異なることを特徴とする撮像装置。
【請求項１４】
請求項１から１３の何れか１項に記載の撮像装置において、
前記第１の表示オブジェクトの表示は、枠表示であることを特徴とする撮像装置。
【請求項１５】
請求項１から１４の何れか１項に記載の撮像装置において、
前記第２の表示オブジェクトの表示は、枠表示であることを特徴とする撮像装置。
【請求項１６】
請求項１から１５の何れか１項に記載の撮像装置において、
前記第１の表示オブジェクトと前記第２の表示オブジェクトを前記撮像手段の出力画像に重畳して表示することを特徴とする撮像装置。
【請求項１７】
請求項１から１６の何れか１項に記載の撮像装置において、
カメラであることを特徴とする撮像装置。
【請求項１８】
請求項１から１６の何れか１項に記載の撮像装置において、
モバイル機器であることを特徴とする撮像装置。
【請求項１９】
レンズユニットにより結像された被写体像の撮像画像を表示可能である表示手段を有する撮像装置における表示方法であって、
表示手段に対する撮影者の第１の近接状態の検知するステップと、
前記第１の近接状態の検知に応じて被写体像の表示画像に焦点調節領域を示す第１の表示オブジェクトを表示るステップと、
表示手段に対する撮影者の第２の近接状態の検知するステップと、
前記第２の近接状態の検知に応じて被写体像の表示画像に合焦指示領域を示す第２の表示オブジェクトを表示するステップと、を有することを特徴とする表示方法。
【請求項２０】
請求項１９に記載の表示方法において、
前記第２の近接状態は、前記第１の近接状態より前記表示手段に近い近接状態であることを特徴とする表示方法。
【請求項２１】
請求項１９に記載の表示方法において、
前記第２の近接状態は、前記表示手段に接触した接触状態であることを特徴とする表示方法。
【請求項２２】
請求項１９から２１の何れか１項に記載の表示方法において、
前記焦点調節領域ないし第１の表示オブジェクトは、被写体像の撮像画像から得た合焦情報に基づくことを特徴とする表示方法。
【請求項２３】
請求項１９から２１の何れか１項に記載の表示方法において、
前記焦点調節領域ないし第１の表示オブジェクトは、表示手段に重畳されたセンサの出力が閾値よりも大きくなる領域に基づくことを特徴とする表示方法。
【請求項２４】
請求項１９から２３の何れか１項に記載の表示方法において、
前記第１の表示オブジェクトの表示と前記第２の表示オブジェクトの表示とは、撮影者が識別できるように形状と色の少なくとも一方が異なることを特徴とする表示方法。
【発明の詳細な説明】
【技術分野】
【０００１】
本発明は、カメラなどの撮像装置に関する。特に、撮影者の指やペンなどの近接を検知（近接検知）し、ＡＦ枠などの表示オブジェクトを表示可能な表示手段を有するカメラなどの撮像装置に関するものである。
【背景技術】
【０００２】
近年、デジタルカメラやカメラ機能付き携帯電話などの撮像機能を有する電子機器が普及してきている。これらの電子機器は、液晶ディスプレイや有機ＥＬディスプレイなどの表示装置を有し、レンズを介して撮像手段により取り込まれた撮像画像を表示装置にそのまま表示することが可能である。そして、表示された画像を見ながら構図や露出、レンズのピント位置を確認し、被写体を撮像することができる。また、圧力方式や静電容量方式などのタッチセンサを表示装置に重畳して、撮影者の指やペンなどの接触を検知（接触検知）することで撮影装置を操作するタッチパネル機能が搭載されている。特許文献１のカメラでは、デジタルスチルカメラのディスプレイに表示されている撮像手段による取り込み画像の被写体を撮影者がそのディスプレイ上で指示すると、容易に撮影者が指示した被写体に焦点を合わせることができる。ディスプレイには感圧式の透明なタッチパネルが重畳されており、ディスプレイに表示された被写体を撮影者がタッチすると、タッチパネルにより接触の検知された位置にＡＦ枠（焦点調節領域）が表示され、ＡＦ枠の範囲のコントラスト情報が検出される。そして、検出したコントラスト情報に基づき、撮影者がタッチした位置の被写体に合焦するようにレンズが駆動される。
【先行技術文献】
【特許文献】
【０００３】
【特許文献１】特開２００４−２０５８８５号公報
【発明の概要】
【発明が解決しようとする課題】
【０００４】
しかし、上述の従来技術では、撮影者がタッチパネルに接触した時点でディスプレイにＡＦ枠を表示し、その範囲の合焦情報を検出するため、ＡＦ枠が指などに隠れてしまうことになり易い。また、指示した被写体全体をＡＦ枠範囲とする多点ＡＦモード、被写体の顔にＡＦする顔認識モード、指示した局所的な一点をＡＦして追従する一点追尾モードなどのＡＦモードに応じてどのようにＡＦされるか事前に分からないということがある。また、被写体が低コントラストや暗部であった場合に、撮影者が意図した部分と合焦する部分がずれてしまい、それが事前に撮影者に分からないということが起こり得る。逆に、焦点調節領域として選択可能なＡＦ枠を常時すべてディスプレイに表示していると、被写体や背景全体がＡＦ枠に隠れて見えにくくなるということが起こり得る。
【０００５】
本発明の目的は、ディスプレイに表示された被写体や背景などを見えにくくすることなく、撮影者が意図した位置のＡＦ枠などの表示オブジェクトを、事前に指等で隠れることなく表示することが可能なカメラ等の撮像装置、表示方法を提供することである。
【課題を解決するための手段】
【０００６】
上記目的を達成するために、本発明の撮像装置は、レンズユニットにより結像された被写体像を撮像する撮像手段と、前記撮像手段より出力された画像を表示可能である表示手段と、を有する。そして、前記表示手段は、ユーザの第１の近接状態および第２の近接状態を検知可能であり、前記第１の近接状態の検知に応じて被写体像の表示画像に焦点調節領域を示す第１の表示オブジェクトを表示し、前記第２の近接状態の検知に応じて被写体像の表示画像に合焦指示領域を示す第２の表示オブジェクトを表示する。
【発明の効果】
【０００７】
本発明によれば、ディスプレイに表示された被写体や背景などを見えにくくすることなく、撮影者が意図した位置に、ＡＦ枠などの表示オブジェクトを、事前に指等で隠れることなく表示することが可能なカメラ等の撮像装置、表示方法を実現できる。
【図面の簡単な説明】
【０００８】
【図１】本発明に適用できる撮像装置の一例の構成を示すブロック図。
【図２】（a）は本発明に適用できる撮像装置の一例の正面斜視図、（b）はその背面斜視図。
【図３】本発明に適用できる撮像装置の動作例を示すフローチャート。
【図４】タッチパネルへの近接の検知によるＡＦ候補枠の表示例を示す概略図。
【図５】近接の程度を判定する動作例を示すフローチャート。
【図６】近接検知の様子を示す概略図。
【図７】本発明に適用できるモバイル機器の一例の構成を示す図。
【発明を実施するための形態】
【０００９】
本発明の撮像装置、表示方法では、表示手段の表示画像に表示された被写体像に撮影者ないしユーザが指等を第１の近接状態まで近接させると、表示手段は第１の近接状態の検知に応じて被写体像の表示画像に合焦可能領域を示す第一の表示オブジェクトを表示する。そして、撮影者が表示画像に表示された被写体像に指等を第２の近接状態（接触など）まで近接させると、第２の近接状態の検知に応じて被写体像の表示画像に合焦指示領域を示す第２の表示オブジェクトを表示する。すなわち、より具体的には、例えばタッチセンサによる第１の近接検知で、近接検知範囲をＡＦモードに応じてＡＦ可能かどうかを判定してＡＦ候補枠などとして、合焦可能領域を示す第一の表示オブジェクトを表示する。そして、より近接した第２の近接検知で、例えば第一の枠表示の中から選択された第２の近接検知範囲に、ＡＦモードに応じて最終的な合焦指示領域を示す第二の表示オブジェクトを表示する。
【００１０】
以下に、本発明の実施の形態を、添付の図面に基づいて詳細に説明する。
（実施例１）
まず、図１、図２を参照して、本発明の第１の実施例の主な構成を説明する。図１はカメラ１の内部構成を示すブロック図である。図２はカメラ１の外観図である。
【００１１】
カメラ１の正面にはレンズユニット２が設けられ、撮影レンズユニット２から入射した光は、カメラ１の内部にある焦点検出および露出検出可能な撮像手段３に結像するよう構成されている。撮像手段３は、電荷蓄積を制御した電子シャッターによる撮像が可能であり、被写体像のスルー画像（撮像手段の出力に基づき表示手段に表示される画像）を出力することができる。出力されたスルー画像は表示手段４により表示され、撮影者は、ピントや構図、露出を確認することができる。表示手段４は、撮像手段３より出力された画像を表示し、焦点調節領域を示す枠を撮像手段の出力画像に重畳して表示可能であって、撮影者の指等を近接検知および接触検知可能である。シャッターは、撮像手段３の前面に走行可能な遮光幕を配置するメカニカルシャッターを用いてもよい。撮影者がレリーズ釦５を半押し（ＳＷ１）すると、撮像手段３による測光、ＡＦが開始され、レンズユニット２内のレンズ駆動手段６によるフォーカスレンズ７の駆動が行われる。
【００１２】
次に撮影者がレリーズ釦５を全押し（ＳＷ２）すると、撮像手段３が電子シャッッターを走行させ、撮像を行う。撮像手段３は、電荷蓄積および電荷読み出し動作を開始させる露光動作を行う。そして、カメラ１の側面に設けられた画像記録読込手段２７に装着されている記録媒体８に撮影画像を記録保存する。記録媒体８に保存された画像は、カメラ１の背面の画像再生釦１０を押すことで、表示手段４に表示される。
【００１３】
本実施例のカメラ１は、カメラ１全体の制御を司るシステム制御回路１１を有する。システム制御回路１１は、ＣＰＵやＭＰＵ等により構成され、後述する各回路等の動作を制御する。システム制御回路１１は焦点検出手段１２を内包しており、ＡＦが開始されると撮像手段３からの出力をもとにレンズ駆動手段６を制御し、フォーカスレンズ７を光軸方向に駆動して焦点合わせを行う。焦点検出方法としては、撮像手段３が撮像画素群のほかに焦点検出画素群と焦点検出画素群の前に配置された瞳分割レンズ群とを有し、撮像面上で位相差による焦点検出を行う撮像面位相差ＡＦがある。また、撮像画像のコントラスト差から焦点検出を行うコントラストＡＦ、撮像手段３を光軸方向に前後に駆動させてコントラストＡＦを行うウォブリング方法などを用いることもできる。これらは公知であるので、詳細な説明は省略する。
【００１４】
また、システム制御回路１１は露出検出手段１３を内包しており、測光が開始されると撮像手段３からの出力をもとに、撮影者が事前に設定した撮影条件に応じてレンズユニット２内の絞り１４の絞り値および撮像手段３の電子シャッタースピードを決定する。レリーズ釦５（ＳＷ２）により撮影動作が開始されると、システム制御回路１１は、露光制御部１５により絞り１４および電子シャッターの電荷蓄積時間を前記決定された値に制御する。また、システム制御回路１１は、露光制御部１５によりタイミングジェネレータ１６から撮像手段３を駆動する際に必要なパルス信号を出力させる。撮像手段３は、タイミングジェネレータ１６から出力されたパルス信号に応じて電荷蓄積および電荷読み出し動作を行う。撮像手段３から読み出された電荷はＡ/Ｄ変換回路１７によりデジタル化され、画像処理回路１８へ送られる。送られた画像は、画像処理回路１８内の画像処理部１９によりホワイトバランス調整や画像圧縮処理等が行われ、記録制御部２０により画像記録読込手段２７を介し記録媒体８に記録保存される。記録媒体８は一般的なＳＤカードやＣＦカードなどである。記録媒体８に保存した撮影画像は、画像再生釦１０を押すことで、画像記録読込手段２７により画像処理回路１８内の表示制御部２１に読み込まれ、Ｄ/Ａ変換回路２２によりアナログ化されて表示手段４に示される。
【００１５】
なお、本実施例の図１においては、レンズユニット２はフォーカスレンズ１０のみの記載であるが、ズームレンズを有するものなどでもよく、一体型もしくは取替え可能な別体型の構成としてもよい。また、撮像手段３の前面にメインミラーを回動可能に配置し、レンズユニット２からの光をペンタプリズムと結像レンズを通して撮影者の目に導く光学ファインダーを構成してもよい。また、メインミラーにサブミラーを回動可能に設け、撮像手段３からの出力をもとに焦点検出を行う焦点検出手段１２とは別に、位相差ＡＦによる焦点検出手段を設けてもよい。上述したこれらの構成に関しては公知であるため詳細な説明は省略する。
【００１６】
次に撮影条件の設定方法について説明する。ダイヤル操作部材である撮影モード選択手段２３は撮影モードを設定することができ、例えば自動露出モード、絞り優先露出モード（Av）、シャッタースピード優先露出モード（Tv）、マニュアルモード（M）、バルブモード（B）を設定できる。自動露出モードに設定した場合は、ダイヤル操作部材である露出設定手段２４により撮影者が任意に適正露出値を設定し、絞り値およびシャッタースピードは撮影時にその適正露出になるように自動で決定される。絞り優先露出モード（Av）、シャッタースピード優先露出モード（Tv）、マニュアルモード（M）を設定した場合は、絞り設定手段２５およびシャッタースピード設定手段２６により、絞り値およびシャッタースピードを任意に設定できる。バルブモードを設定した場合は、レリーズ釦５（ＳＷ２）を押すと撮影を開始し、レリーズ釦５（ＳＷ２）を押している間は露光し続け、レリーズ釦５（ＳＷ２）を離すと露光終了し、撮影中にシャッタースピードが決定できる。
【００１７】
次にタッチパネル操作可能な表示手段４について説明する。表示手段４は、画像を表示するための液晶方式や有機EL方式などの表示パネルと撮影者の指等を近接検知および接触検知可能な静電容量式センサを重畳している。そして、撮影者が表示手段４の表示領域に指等を近づけた近接状態と表示手段４に接触した接触状態とでその位置を検出することができる。静電容量式センサは絶縁体フィルムとその下に格子状に配した電極層からなり、導電性である指やペンなどが近づくと電極層から指等へと静電誘導が発生し、間にある絶縁体フィルムの静電容量が変化する。そして、システム制御回路１１に内包された近接・接触判定手段２７が、静電容量の変化を電極層の電位差から読み取ることで指等の位置を検出することができる。また、表示手段４に指等が近接している状態では、接触している状態に比べて、誘電率の低い空気層を挟むために静電容量の変化が少ない。従って、静電容量の変化量に対して閾値を設定することで、近接・接触判定手段は近接状態と接触状態とを判別することができる。タッチセンサは、静電容量式のほかに光の反射や明暗を検知する光方式などでもよく、本発明では、近接検知可能な方法であればよい。
【００１８】
次に、本実施例の特徴であるタッチパネルの近接検知によるＡＦ候補枠の表示方法について、図３のフローチャートおよび図４の近接検知によるＡＦ候補枠の表示の例を示した概略図を用いて説明する。カメラ１は、上述した構成のほかに、被写体認識手段２８とＡＦ枠選択モード（焦点調節モード）を変更するＡＦ枠選択モード切換手段２９を有している。被写体認識手段２８はシステム制御回路１１に内包されており、撮像手段３から出力される被写体の撮像画像をもとに顔に相当する領域や被写体像全体を特定し、被写体を認識する。例えば、顔認識は、肌色や顔の輪郭、目や鼻などの特徴点から撮像画像内の顔候補領域を抽出し、その特徴量から顔領域を決定する方法がある。また、顔の形状をした複数のテンプレートを用意して、そのテンプレートと撮像画像の相関を解析し、その相関値より顔領域を決定する方法などもある。被写体像認識は、色や形状、コントラスト情報から背景と被写体像領域を分離し抽出し、被写体像を認識する。被写体を認識する方法は公知であるため詳細な説明は省略する。
【００１９】
ＡＦ枠選択モード切換手段２９は、図２に示すようにカメラ１に専用の操作部材として設けてもよいし、カメラ１全体の設定変更を行うNENU釦によって変更できる設定項目内に設けてもよい。ＡＦ枠選択モードは、一点追尾ＡＦモード（追尾モード）、顔認識追尾ＡＦモード（追尾モード）、多点ＡＦモード（多点モード）などがある。一点追尾ＡＦモードは、図４（a）に示すように被写体の局所的な１点を選択すると、焦点検出手段１２はその部分に追尾してＡＦを行い、フォーカスレンズ７をオートフォーカス（ＡＦ）動作させる。顔認識追尾ＡＦモードは、図４（b）に示すように被写体認識手段２８によって、被写体の顔部に追尾してＡＦを行い、フォーカスレンズ７をオートフォーカス（ＡＦ）動作させる。多点ＡＦモードは、図４（c）に示すように被写体認識手段２８によって認識された被写体像全体をＡＦし、被写体像全体が合焦するように絞り値などの撮影条件を制御し、フォーカスレンズ７をオートフォーカス（ＡＦ）動作させる。上述したモードのほかにも、局所的な１点からＡＦ枠範囲を広げたゾーンＡＦなどがあり、本発明では、これらのＡＦモードに限定されず、その要旨の範囲内で種々の変形及び変更が可能である。
【００２０】
撮影者がカメラ１の電源をONにすると、まず図３のＳＴＥＰ１で表示手段４に撮像手段３からのスルー画像を表示する。撮影者はスルー画像により、被写体のピントや構図、露出を確認することができる。ＳＴＥＰ２で撮影者はＡＦ枠選択モード切換手段２９により、ＡＦ枠選択モードを、上述した一点追尾ＡＦモード、顔認識追尾ＡＦモード、多点ＡＦモードなどから選択する。ＳＴＥＰ３で表示手段４は撮影者の指等を近接検知する。表示手段４に重畳された静電容量式センサの出力からシステム回路１１に内包された近接・接触判定手段２７が撮影者の指が近接しているか判定する。撮影者の指が近接していない場合は、撮影者がレリーズ釦５を押すことで、中央もしくは自動ＡＦ枠選択によるＡＦが行われ、フォーカスレンズ７がオートフォーカス（ＡＦ）動作し、通常撮影が行われる。
【００２１】
撮影者の指が表示手段４に近接した場合は、ＳＴＥＰ４で焦点検出手段１２は撮像手段３から出力される画像の近接検知した位置に相当する領域の合焦情報を検出し、合焦部判定手段１７により合焦可能範囲を判定する。すなわち、焦点検出手段は、撮像手段より出力された画像から被写体像のフォーカス位置ないし状態を評価する合焦情報を検出し、合焦部判定手段は前記合焦情報により合焦可能範囲（焦点調節領域）を判定する。合焦可能範囲の判定は、ＳＴＥＰ２で設定したＡＦ枠選択モードにより異なる。一点追尾ＡＦモードの場合は、表示手段４により、撮影者の指が近接検知された位置から略最も近い合焦可能で局所的な一点を合焦可能範囲とする。被写体のコントラストが低く、撮影者の指が近接検知された範囲に合焦可能な領域がない場合は、合焦不可のアイコンを表示手段４に表示して撮影者に通知し、ＳＴＥＰ３へ戻る。
【００２２】
顔認識追尾ＡＦモードの場合は、被写体認識手段２８により撮影者の指が近接検知された周辺の被写体の顔を抽出し、顔領域の合焦情報を検出し、合焦可能範囲（焦点調節領域）とする。撮影者の指が近接検知された周辺に顔領域が認識されない場合は、合焦不可のアイコンを表示手段４に表示して撮影者に通知し、ＳＴＥＰ３へ戻る。多点ＡＦモードの場合は、被写体認識手段２８により撮影者の指が近接検知された範囲の被写体像全体を抽出し、被写体像全体の合焦情報を検出し、合焦可能範囲（焦点調節領域）とする。撮影者の指が近接検知された周辺に被写体像が認識されない場合は、合焦不可のアイコンを表示手段４に表示して撮影者に通知し、ＳＴＥＰ３へ戻る。
【００２３】
合焦可能範囲が判定されるとＳＴＥＰ５で図４に示すように、表示手段４は各ＡＦ枠選択モードに応じて被写体像の合焦可能範囲に合焦可能領域を示す第一の枠を重畳して表示する。すなわち、表示手段が撮影者の指等を近接検知すると、前記焦点検出手段は撮像手段の出力画像の表示手段が近接検知した範囲に対応した領域の合焦情報を検出する。そして、合焦部判定手段は、設定された閾値と合焦情報により、合焦可能領域を判定し、合焦可能領域に第一の枠を表示する。ＳＴＥＰ６で撮影者が表示手段４に指を接触させると、表示手段４は撮影者の指を接触検知する。表示手段４に重畳された静電容量式センサの出力から、システム回路１１に内包された近接・接触判定手段２７が撮影者の指等の接触を判定する。接触判定されると、ＳＴＥＰ７で第一の枠を、合焦指示部（合焦指示領域）を示す第二の枠に変更して表示し、ＳＴＥＰ８で上述した合焦可能範囲に合焦するようにフォーカスレンズ７をオートフォーカス（ＡＦ）動作させる。すなわち、撮影者が表示画像に表示された被写体像に指等を接触させると、表示手段は接触検知した範囲に対応した被写体像の表示画像に合焦指示部を示す第二の枠を表示する。合焦可能領域を示す第一の枠と合焦指示部を示す第二の枠とは、撮影者が識別できるように、枠の形状と色の少なくとも一方が異なる表示とする。ＳＴＥＰ９で撮影者はレリーズ釦５を全押し（ＳＷ２）し、撮影を行う。このときレリーズ釦５の半押し（ＳＷ１）は無視される。
【００２４】
以上のように、本実施例によれば、ディスプレイに表示された被写体や背景を見えにくくすることなく、撮影者が意図した位置に、ＡＦ可能なＡＦ枠を、事前に指などで隠れることなく表示することが可能となる。
【００２５】
（実施例２）
実施例２を説明する。上記の実施例１では、近接・接触判定手段２７が撮影者の指等の近接と接触を判定する旨を記載した。この点、第１の近接状態と第２の近接状態について、近接の程度を判定するようにしてもよい。例えば、図５のフローチャートに示すように、ＳＴＥＰ６で、撮影者が表示手段４に指を接触させようと近づけた場合に、接触せずとも表示手段４に重畳された静電容量式センサの出力αｘが予め設定された閾値α1よりも大きくなると、接触判定としてもよい。これは、表示装置４に手脂などの汚れを付けたくない場合や手袋などをした撮影者が使用する場合などに有効であり、閾値α1は撮影者が変更して感度を調整することも可能である。また、図６の近接検知の概略図に示すように、閾値α1は、ＳＴＥＰ３で近接検知した静電容量式センサの出力α０から変化量αΔ1増大した値として判定してもよい。この際、例えば、静電容量式センサの出力がα０以上となる表示手段４の領域に、合焦可能領域を示す第一の表示オブジェクトを表示する。そして、静電容量式センサの出力がα１以上となる表示手段４の領域に、最終的な合焦指示領域を示す第二の表示オブジェクトを表示する。
【００２６】
（実施例３）
実施例３を説明する。上記実施例の記載では、カメラ１として説明した。この点、撮像装置は、カメラ１以外のモバイル機器などであってもよい。図７に実施例３のモバイル機器の正面斜視図（a）と背面斜視図（ｂ）を示す。正面側にフォーカスレンズと撮像手段が一体のデバイスとして構成された内蔵カメラ５１を有し、背面側には近接検知可能なタッチパネル５４を設けたスマートフォンやタブレット端末５０にも、本発明は適用可能である。カメラ１と同様に、一点追尾ＡＦモード、顔認識追尾ＡＦモード、多点ＡＦモードなどを選択可能である。また、顔検知機能も有する内蔵カメラ５２は、自分撮り用に背面側に設けられている。操作部材５３により、表示画面の切り換えを行うことができる。その他の点は、上記実施例と同じである。
【００２７】
以上、本発明の実施例について説明したが、本発明はこれらの実施例に限定されず、その要旨の範囲内で種々の変形及び変更が可能である。
【符号の説明】
【００２８】
１・・カメラ、２・・レンズユニット、３・・撮像手段、４・・表示手段、１２・・焦点検出手段、１７・・合焦部判定手段、２９・・ＡＦ枠選択モード切換手段
【図１】
2014123109.tif 000003
【図２】
2014123109.tif 000004
【図３】
2014123109.tif 000005
【図４】
2014123109.tif 000006
【図５】
2014123109.tif 000007
【図６】
2014123109.tif 000008
【図７】
2014123109.tif 000009